(57)【要約】【課題】  釣り竿収納袋自体に新たな機構を追加することによって、冷気の影響をよりよく回避することのできる釣り竿収納袋を提供する。【解決手段】  長尺状で弾性材製の袋本体２の一側面に、長手方向に沿った切れ目ａを形成するとともに、袋本体２の内周面に、滑り止め用のラバー材ｃを形成する。袋本体２の内周面における長手方向中間位置と、袋本体２に収納される釣り竿１とに、その釣り竿１に対して袋本体２を着脱可能に構成する面ファスナー３を設けてある。【選択図】        図１
2008167700.tif 000002
【特許請求の範囲】
【請求項１】
弾性材製の袋本体の一側面に、長手方向に沿った切れ目を形成するとともに、袋本体の内周面に、滑り止め部を形成し、前記袋本体の内周面における長手方向中間位置に、前記袋本体に収納される竿に対して、前記袋本体を着脱可能に構成する装着固定部を設けてある釣り竿収納袋。
【請求項２】
前記袋本体の長手方向の一方側に位置する一方の半部分を、他方側に位置する他方の半部分に対して折り返すとともに、折り返した一方の半部分を前記切れ目の部分を利用して裏返し、裏返した一方の半部分を前記他方の半部分に、前記一方の半部分の切れ目と前記他方の半部分の切れ目が重なるように、被覆することができる請求項１記載の釣り竿収納袋。
【請求項３】
袋本体の外周面に、柔軟性材を施してある請求項１又は２記載の釣り竿収納袋。
【発明の詳細な説明】
【技術分野】
【０００１】
本発明は、釣竿収納袋に関する。
【背景技術】
【０００２】
釣竿収納袋の使用形態としては、釣竿収納袋内に竿を収納し、釣り場を移る場合や釣り場への往復時に携行するものである。その為に、釣竿収納袋の外面には、吊り下げ用の提げベルトが設けられているだけであり、その他の機構を設けるとしても、収納竿を保持する為の保持部を設けたり、釣り針等の小物を入れる収納部が設けられていることがあるだけである（特許文献１参照）。
【０００３】
【特許文献１】特開平１１−２７６０４７号公報（段落番号〔００１３〕、〔００１４〕，及び、図１，２）
【発明の開示】
【発明が解決しようとする課題】
【０００４】
釣り場における釣りを行っている場合を考えてみると、生き餌を使用する場合には、活き餌の体液やぬめり等が釣り人の手に付いたままで、竿の握り部を握ることが多く、活き餌を糠や粉等で覆って針に取り付けて仕掛けを使用する、所謂団子釣り等においては、特に、その糠や粉が釣り人の手について、それが竿に付着することになって、握り部を握る手が滑り易くなり、竿を安定して持ちにくいこともあった。
また、上記したような釣り竿が残餌によって汚されるといった点を考慮する必要のない一般の釣りであっても、極寒の地において釣り操作を行う場合には、手指が冷えすぎて十分に釣り竿の操作が行えないといった別個の問題がある。
【０００５】
本発明の目的は、釣り竿収納袋自体に新たな機構を追加することによって、冷気の影響をよりよく回避することのできる釣り竿収納袋を提供する点にある。
【課題を解決するための手段】
【０００６】
〔構成〕
請求項１に係る発明の特徴構成は、弾性材製の袋本体の一側面に、長手方向に沿った切れ目を形成するとともに、袋本体の内周面に、滑り止め部を形成し、前記袋本体の内周面における長手方向中間位置に、前記袋本体に収納される竿に、前記袋本体を着脱可能に構成する装着固定部を設けてある点にあり、その作用効果は次の通りである。
【０００７】
〔作用〕
袋を、釣り竿を収納するだけでなく、釣り操作時の補助具として使用する場合には、装着固定部が設けてあるので、その装着固定部で収納袋を釣り竿に固定して使用することができる。
袋本体の内周面に、滑り止め部を形成してあるので、手が活き餌の残渣等で滑り易い状況にあっても、袋本体で釣り竿を包んで滑り止め部を釣り竿に接触作用させて、袋本体の外周面と釣り竿を共握りすることによって、釣り竿を確り掴むことができる。
また、長手方向に沿った切れ目を形成してあるので、この切れ目より手を中に差し入れることができ、袋の中でその袋で覆われた釣り竿の握り部を握って、釣り操作を行い、釣り竿を握る手を冷気から保護することもできる。
【０００８】
〔効果〕
以上のように、装着固定部、滑り止め部、及び、長手方向に沿った切れ目を設けているので、袋を釣り竿に固定して、滑り難く、手が冷えることを阻止した釣り操作を行うことのできる、釣り竿収納袋を構成することができた。
【０００９】
請求項２に係る発明の特徴構成は、請求項１に係る発明において、前記袋本体の長手方向の一方側に位置する一方の半部分を、他方側に位置する他方の半部分に対して折り返すとともに、折り返した一方の半部分を前記切れ目の部分を利用して裏返し、裏返した一方の半部分を前記他方の半部分に、前記一方の半部分の切れ目と前記他方の半部分の切れ目が重なるように、被覆することができる点にあり、その作用効果は次の通りである。
【００１０】
〔作用〕
つまり、折り返した一方の半部分を前記切れ目の部分を利用して裏返し、裏返した一方の半部分を前記他方の半部分に、前記一方の半部分の切れ目と前記他方の半部分の切れ目が同じ側に位置するように、被覆することができる。
そうすると、一方の半部分と他方の半部分で釣り竿の元竿の握り部を覆うとともに、一方の半部分と他方の半部分の切れ目より釣り竿の元竿から穂先竿までを延出し、他方の半部分に形成した切れ目より他方の半部分内に手を差し入れて、一方の半部分で覆われた釣り竿の握り部をその一方の半部分とともに握り込み、釣り操作を行うことができる。
【００１１】
〔効果〕
したがって、他方の半部分と一方の半部分との間に手を差入れて釣り竿の握り部を握ることができるので、手が冷えることを阻止できる。しかも、一方の半部分の内周面に形成された滑り止め部によって一方の半部分とともに釣り竿を握る手が滑ることはなく、釣り竿を握る手が安定する。さらに、釣り竿を滑りなく握れるものでありながら、他方の半部分と一方の半部分との間に手を差入れることとしてあるので、直接、釣り竿を握る必要がなく、釣り竿からの冷気の伝播を受けることがない。
このような効果を奏する釣り竿収納袋を構成するのに、釣り竿収納袋を半分に折って、一方の半部分を裏返し、その裏返した一方の半部分を他方の半部分に被覆できるだけの釣り竿収納袋の柔軟性を確保し、長手方向に沿った切れ目を設ける改造を施したからである。
【００１２】
請求項３に係る発明の特徴構成は、請求項１又は２に係る発明において、袋本体の外周面に、柔軟性材を施してある点にあり、その作用効果は次の通りである。
【００１３】
〔作用効果〕
つまり、釣り竿を収納した釣り竿収納袋の外周面と釣り竿とを共握りした場合に、袋本体の外周面に施された柔軟性材が直接手に接触するので、握る手に圧迫感を与えることはなく、良好な握り感覚を受けることができる。
【発明を実施するための最良の形態】
【００１４】
〔第１実施形態〕
釣り竿収納袋Ａについて説明する。図１に示すように、袋本体２は、縦長の袋であり、袋の側面に袋の長手方向に沿って切れ目ａを形成して釣り竿１の取入れ用開口２ａを形成するとともに、その開口２ａを通して内部の竿収納空間Ｂに釣り竿１を取り入れ可能に構成してある。ここで記載した釣り竿１は、渓流竿であり、釣り竿収納袋Ａ内に収納する際に、元竿１Ａ内に中竿５、及び、穂先竿６を収納し、口栓４を取り付けた状態で、収納してある。
【００１５】
図１に示すように、釣竿収納袋Ａの袋本体２は、ポリウレタン樹脂の外面側にナイロン樹脂を積層したものであり、ナイロン樹脂の外面にニット製の被覆材（柔軟性材の一種）ｂを施してある。一方、ポリウレタン樹脂の内面側には、滑り止め部としてのラバー材ｃが施してあり、手でこの部分を握った場合に、滑り難い構成を採っている。
【００１６】
ラバー材ｃ以外に、袋本体２の外面に比べて摩擦係数の高い、皮、ゴム、ハイカコルク（ゴムとコルクの混合品）等を使用することができる。
尚、図示はしていないが、ラバー材ｃ等を袋本体２の端部にも設けることによって、袋本体２の端部の強度を強化できて、口栓４を用いなくても、穂先竿等が元竿１Ａから抜け出ることを抑制できる。
【００１７】
釣り竿収納袋Ａを、その釣り竿収納袋Ａに収納した釣り竿１に固定する装着固定部について説明する。図１及び図３に示すように、袋本体２の長手方向の中間位置でその内周面に、面ファスナー３の一方を構成する面ファスナー部分３Ａを接着固定する。この一方の面ファスナー部分３Ａと対をなす他方の面ファスナー部分３Ｂを元竿１Ａの所定位置に接着固定する。
このように、袋本体２と元竿１Ａとに面ファスナー部分３Ａ、３Ｂを設けることによって、釣り竿収納袋Ａを元竿１Ａに固定することができる。面ファスナー部分３Ａ、３Ｂを、袋本体を着脱可能に構成する装着固定部と称する。
【００１８】
次に、釣り竿収納袋Ａを釣り操作に利用する場合について説明する。図２に示す、袋本体２の長手方向の一方側に位置する一方の半部分２Ａを、他方側に位置する他方の半部分２Ｂに対して、切れ目ａが外側に位置するように、折り返す。
折り返した後には、折り返した一方の半部分２Ａを切れ目ａの部分を利用して裏返す。
【００１９】
裏返し状態に切り換えた後に、図３から図５に示すように、一方の半部分２Ａを他方の半部分２Ｂに被せて覆う。つまり、一方の半部分２Ａを他方の半部分２Ｂに被せた状態では、他方の半部分２Ｂの切れ目ａと一方の半部分２Ａの切れ目ａとが同一側に位置し、他方の半部分２Ｂと一方の半部分２Ａとの間に、図４に示すように、狭い間隙が繋がった空間ｇが形成される。
【００２０】
図３及び図５に示すように、釣り竿収納袋Ａを折り返しかつ裏返して、二重袋形態を作り出し、他方の半部分２Ｂの竿収納空間Ｂに元竿１Ａを収納する。
元竿１Ａを収納した状態では、元竿１Ａに接着固定した面ファスナー部分３Ｂと、他方の半部分２Ｂに接着固定した面ファスナー部分３Ａとが、互いに係合し、元竿１Ａに釣り竿収納袋Ａが固定される。
【００２１】
図４に示すように、元竿１Ａが釣り竿収納袋Ａ内に固定されると、一方の半部分２Ａの切れ目ａより手を差し入れて、一方の半部分２Ａと他方の半部分２Ｂとの間の空間ｇ内に手を位置させる。
空間ｇ内に手を入れて元竿１Ａを握って釣り操作を行うことができるので、手が冷えるのを抑制しながら、釣を行うことができる。
【００２２】
他方の半部分２Ｂの内周面に施されたラバー材ｃが元竿１Ａの外周面に接触することとなるので、元竿１Ａと他方の半部分２Ｂとが滑り難く、釣り竿を握る手が安定する。
一方の半部分２Ａ及び他方の半部分２Ｂの外周面にはニット製の被覆材ｂを施してあるので、一方の半部分２Ａを裏返した状態ではそのニット製の被覆材ｂが空間ｇの内周面に位置し、空間ｇ内に差し入れた手はニット製の被覆材ｂの上から元竿１Ａを握ることができるので、手触りがよく、温かみが感じられる。
【００２３】
〔別実施形態〕
（１）  上記実施例において、切れ目ａの部位に取り入れ用空間２ａを閉塞する為に開閉ファスナー２ｂを設けてもよい。
（２）  袋本体２の内周面にラバー材ｃを設けているが、特にラバー材ｃを設ける必要はない。
（３）  袋本体２を着脱可能に構成する装着固定部としては、図示してはいないが、袋本体２の内周面に締め付けベルトを設けてもよい。この締め付けベルトを元竿１Ａに巻回して袋本体２を元竿１Ａに固定する構成を採ってもよい。
【図面の簡単な説明】
【００２４】
【図１】釣り竿を釣り竿収納袋に収納する前の状態を示す斜視図
【図２】釣り竿を釣り竿収納袋に収納した状態を示す側面図
【図３】一方の半部分を他方の半部分に対して折り曲げた状態から裏返して他方の半部分に被せた状態を示す側面図
【図４】一方の半部分を裏返して他方の半部分に被せたものに、元竿を挿入し手を差し入れた状態を示す縦断正面図
【図５】一方の半部分を裏返した状態で他方の半部分に被せたものに、元竿を収納して釣り操作時に使用される状態を示す斜視図
【符号の説明】
【００２５】
２            袋本体
２Ａ          一方の半部分
２Ｂ          他方の半部分
３            面ファスナー（装着固定部）
ａ            切れ目
ｂ            柔軟性材
ｃ            滑り止め部
【図１】
2008167700.tif 000003
【図２】
2008167700.tif 000004
【図３】
2008167700.tif 000005
【図４】
2008167700.tif 000006
【図５】
2008167700.tif 000007